(57)【要約】【課題】係合子と内外輪との接触部に対するグリースの供給性能を高める。【解決手段】外輪１と内輪２との間に周方向に沿って配置される複数の係合子３と、前記各係合子３を周方向に沿って保持する環状の保持器４と、前記各係合子３を外輪１の内周面１ａおよび内輪２の外周面２ａに係合する方向に付勢する弾性部材５とを備えた一方向クラッチにおいて、前記保持器４は、その内周面４ａと外周面４ｂとの間を貫通する複数のポケット部４ｃを有し、前記保持器４の内周面４ａ及び外周面４ｂの軸直交断面をその長軸及び短軸が重なる楕円形とし、その楕円形の長軸Ｌとの交点寄りの保持器４の内周面４ａと前記内輪２の外周面２ａとの隙間、及びその楕円形の短軸Ｓとの交点寄りの保持器４の外周面４ｂと前記外輪１の内周面１ａとの隙間を、それぞれ内径側グリース溜まり１０、外径側グリース溜まり２０とした。【選択図】図１
2010007681.tif 000002
【特許請求の範囲】
【請求項１】
相対的に軸周り回転可能な外輪（１）及び内輪（２）と、前記外輪（１）と内輪（２）との間に周方向に沿って配置され、前記外輪（１）と内輪（２）とが一方向に相対回転すると前記外輪（１）の内周面（１ａ）及び前記内輪（２）の外周面（２ａ）に係合して前記内外輪（２，１）を結合し他方向に相対回転すると前記係合が解除される複数の係合子（３）と、前記各係合子（３）を周方向に沿って保持する環状の保持器（４）と、前記各係合子（３）を外輪（１）の内周面（１ａ）および内輪（２）の外周面（２ａ）に係合する方向に付勢する弾性部材（５）とを備えた一方向クラッチにおいて、
前記保持器（４）は、その内周面（４ａ）と外周面（４ｂ）との間を貫通する複数のポケット部（４ｃ）を有し、前記係合子（３）はそのポケット部（４ｃ）毎に収納されており、前記保持器（４）の内周面（４ａ）と前記内輪（２）の外周面（２ａ）との間に、少なくとも周方向に隣り合う二つのポケット部（４ｃ，４ｃ）間に連続する内径側グリース溜まり（１０）を設けたことを特徴とする一方向クラッチ。
【請求項２】
前記内径側グリース溜まり（１０）は、前記隣り合う二つのポケット部（４ｃ，４ｃ）間よりも周方向外側に伸びて徐々にその径方向幅が狭まる空間を有することを特徴とする一方向クラッチ。
【請求項３】
相対的に軸周り回転可能な外輪（１）及び内輪（２）と、前記外輪（１）と内輪（２）との間に周方向に沿って配置され、前記外輪（１）と内輪（２）とが一方向に相対回転すると前記外輪（１）の内周面（１ａ）及び前記内輪（２）の外周面（２ａ）に係合して前記内外輪（２，１）を結合し他方向に相対回転すると前記係合が解除される複数の係合子（３）と、前記各係合子（３）を周方向に沿って保持する環状の保持器（４）と、前記各係合子（３）を外輪（１）の内周面（１ａ）および内輪（２）の外周面（２ａ）に係合する方向に付勢する弾性部材（５）とを備えた一方向クラッチにおいて、
前記保持器（４）は、その内周面（４ａ）と外周面（４ｂ）との間を貫通する複数のポケット部（４ｃ）を有し、前記係合子（３）はそのポケット部（４ｃ）毎に収納されており、前記保持器（４）の外周面（４ｂ）と前記外輪（１）の内周面（１ａ）との間に、少なくとも周方向に隣り合う二つのポケット部（４ｃ，４ｃ）間に連続する外径側グリース溜まり（２０）を設けたことを特徴とする一方向クラッチ。
【請求項４】
前記外径側グリース溜まり（２０）は、前記隣り合う二つのポケット部（４ｃ，４ｃ）間よりも周方向外側に伸びて徐々にその径方向幅が狭まる空間を有することを特徴とする請求項３に記載の一方向クラッチ。
【請求項５】
前記保持器（４）の外周面（４ｂ）と前記外輪（１）の内周面（１ａ）との間に、少なくとも周方向に隣り合う二つのポケット部（４ｃ，４ｃ）間に連続する外径側グリース溜まり（２０）を設けたことを特徴とする請求項１又は２に記載の一方向クラッチ。
【請求項６】
前記外径側グリース溜まり（２０）は、前記隣り合う二つのポケット部（４ｃ，４ｃ）間よりも周方向外側に伸びて徐々にその径方向幅が狭まる空間を有することを特徴とする請求項５に記載の一方向クラッチ。
【請求項７】
前記保持器（４）は、その全周に亘って径方向厚さが一定であることを特徴とする請求項５又は６に記載の一方向クラッチ。
【請求項８】
前記保持器（４）の内周面（４ａ）の軸直交断面を楕円形とし、その楕円形の長軸（Ｌ）との交点寄りの内周面（４ａ）と前記内輪（２）の外周面（２ａ）との隙間を前記内径側グリース溜まり（１０）としたことを特徴とする請求項１，２，５，６，７のいずれかに記載の一方向クラッチ。
【請求項９】
前記保持器（４）の外周面（４ｂ）の軸直交断面を楕円形とし、その楕円形の短軸（Ｓ）との交点寄りの外周面（４ｂ）と前記外輪（１）の内周面（１ａ）との隙間を前記外径側グリース溜まり（２０）としたことを特徴とする請求項３乃至７のいずれかに記載の一方向クラッチ。
【請求項１０】
前記保持器（４）の内周面（４ａ）及び外周面（４ｂ）の軸直交断面をそれぞれ長軸（Ｌ）と短軸（Ｓ）とが重なる楕円形とし、前記楕円形の長軸（Ｌ）との交点寄りの内周面（４ａ）と前記内輪（２）の外周面（２ａ）との隙間を前記内径側グリース溜まり（１０）とし、前記楕円形の短軸（Ｓ）との交点寄りの外周面（４ｂ）と前記外輪（１）の内周面（１ａ）との隙間を前記外径側グリース溜まり（２０）としたことを特徴とする請求項５又は６に記載の一方向クラッチ。
【請求項１１】
前記保持器（４）は、その全周に亘って径方向厚さが一定であることを特徴とする請求項１０に記載の一方向クラッチ。
【請求項１２】
前記係合子（３）は、スプラグ又はローラであることを特徴とする請求項１乃至１１のいずれかに記載の一方向クラッチ。
【発明の詳細な説明】
【技術分野】
【０００１】
この発明は、回転トルクの伝達と遮断とを行なう一方向クラッチに関するものである。
【背景技術】
【０００２】
一般に、自動車等のエンジンのクランクシャフトの回転をベルトを介して各種補機類に伝達する補機駆動装置において、その補機類、例えば、パワーステアリング装置の油圧ポンプやエアコンディショナの圧縮機、あるいはオルタネータ等の回転軸と、その回転軸に設けられたプーリとの間に一方向クラッチが組込まれる。
【０００３】
この一方向クラッチは、クランクシャフトの回転の角速度が増加する時に、回転軸とプーリとを結合させて前記クランクシャフトの回転を回転軸に伝え、また、角速度が減少する時に、一方向クラッチをオーバランニングさせて、クランクシャフトから回転軸への回転トルクの伝達を遮断し、ベルトの滑りを防止するように機能する。
【０００４】
また、自動車用エンジンの補機類以外の各種用途においても、同軸状の内輪と外輪とが相対回転可能に配置され、その内輪と外輪のうち、入力側の一方向への回転のみを出力側へ伝達し、入力側の反対方向への回転は出力側へ伝達しないようにした一方向クラッチが用いられる。
【０００５】
この種の一方向クラッチを、例えば、図５及び図６に示すスプラグ式一方向クラッチを内蔵した一方向クラッチ内蔵プーリに基づいて説明すると、外輪１の内周面１ａと内輪２の外周面２ａとの間の空間に、多数の係合子３が組み込まれている。この係合子３としては、図示するスプラグのほか、ローラが採用される場合もある。
【０００６】
この一方向クラッチにおいて、外輪１と内輪２とは、同図に示すように、その一方向クラッチの軸方向両端において、それぞれ周方向に沿って配置されたボール９を有する軸受部８を介して、軸周り相対回転可能に支持されている。外輪１は、その外周に設けられたプーリ７と一体に回転可能である。
【０００７】
その外輪１の内周面１ａと内輪２の外周面２ａとの間の空間には、隣り合う係合子３（図５及び図６ではスプラグ。以下、「スプラグ３」と記載する。）同士の周方向距離を一定に保つ環状の保持器４が設けられている。保持器４には、内外を貫通するポケット部４ｃが設けられており、その各ポケット部４ｃに前記スプラグ３が収納されている。
【０００８】
この一方向クラッチ内蔵プーリでは、プーリ７を備えた外輪１が駆動側、内輪２が従動側であり、前記各スプラグ３は、そのプーリ７と共に外輪１が、内輪２に対して図６（ｂ）に示す矢印ｆ２方向に相対回転したとき、前記内外各円筒面１ａ，２ａに係合して、外輪１の回転トルクを内輪２に伝達する。
また、各スプラグ３は、外輪１が内輪２に対して前記矢印ｆ１で示す反対方向に相対回転したり、あるいは、前記矢印ｆ２方向に回転する外輪１に対して同方向に回転する内輪２の回転速度が外輪１の回転速度を上回った場合に、前記内外各円筒面１ａ，２ａに対する係合を解除して、外輪１から内輪２への回転伝達を遮断するようになっている。
【０００９】
したがって、図６（ｂ）に示すように、プーリ７（外輪１）を矢印ｆ２方向に回転すると、スプラグ３が係合方向へその姿勢を変え（矢印ｓ１参照）、そのスプラグ３のカム面が、外輪１の内周面１ａおよび内輪２の外周面２ａに係合する。この係合により、プーリ７の回転が内輪２に伝達される。
内輪２の回転速度が外輪１の回転速度を上回ると、内輪２に対しプーリ７は図中矢印ｆ１の方向へ相対回転するので、スプラグ３は逆方向にその姿勢を変え（矢印ｓ２参照）、内外周面１ａ，２ａに対するスプラグ３の係合が解除され、外輪１から内輪２への回転伝達が遮断される。
【００１０】
このため、このような一方向クラッチ内蔵プーリを、例えば、オルタネータの回転軸に取付けてクランクシャフトに取付けられたプーリと上記回転軸上のプーリ間にベルトをかけ渡してオルタネータを駆動すると、クランクシャフトの角速度増加時、一方向クラッチが係合状態となり、クランクシャフトの回転がオルタネータの回転軸に伝達される。また、クランクシャフトの角速度減少時、一方向クラッチが空転状態となって、クランクシャフトからオルタネータの回転軸への回転伝達が遮断されることになる。
このため、プーリ７とこれにかかるベルトの相互間で滑りが生じるのが防止され、ベルトの摩耗を抑制することができる。
【００１１】
なお、この図５及び図６では、外輪１が駆動側、内輪２が従動側としているが、他の実施形態として、内輪２を駆動側、外輪１を従動側とした各種用途の一方向クラッチにも適用可能である（例えば、特許文献１，２参照）。
【００１２】
これらの一方向クラッチにおいて、外輪１の内周面１ａと内輪２の外周面２ａとの間の空間には、グリースが充填される。このグリースは、各係合子３と、前記外輪１及び内輪２との接触部に介在して、その接触部を潤滑する。
【００１３】
その接触部への潤滑性能を高めるため、例えば、保持器４のポケット部４ｃ内の周方向側面を、係合子３の位置決めに支障しない程度に周方向へ拡げることにより、その拡げた部分に生じる隙間をグリース溜まりとする技術（例えば、特許文献３参照）や、周方向に隣り合う二つのポケット部４ｃ，４ｃ間に外径側に開口する凹部を設け、その凹部内をグリース溜まりとする技術（例えば、特許文献４参照）、あるいは、保持器４の軸方向端部の外径寄りの部分に、全周に亘る溝を設け、その溝内をグリース溜まりとする技術（例えば、特許文献５参照）が開示されている。
【００１４】
【特許文献１】特開２００６−４６６１２号公報
【特許文献２】特開２００１−１８７９３１号公報
【特許文献３】特開２００７−１５５０３０号公報
【特許文献４】特開平１１−１８２５５５号公報
【特許文献５】特開２００３−２８２０１号公報
【発明の開示】
【発明が解決しようとする課題】
【００１５】
一般に、係合子３を介して外輪１と内輪２とが係合する際、その係合子３が、内輪２の外周面２ａ及び外輪１の内周面１ａの油膜を切ってしまうため、係合子３と外輪１及び内輪２との接触部周辺からグリースを排除してしまうことがある。
【００１６】
このため、係合子３と内輪２の外周面２ａ及び外輪１の内周面１ａとの接触部には、常にグリースが供給されるようになっていることが望ましく、そのためには、前記グリース溜まりを設けることが有効である。
【００１７】
しかし、上記特許文献３に記載のグリース溜まりによれば、グリースを保持できる容量を、ある程度以上増やすことができないという問題がある。ポケット部４ｃの周方向側面を拡げると、隣り合うポケット部とポケット部の間の柱部が細くなるので、強度上の限界があるからである。
これは、その柱部に凹部を形成しようとする特許文献４に記載の技術においても、同様である。
【００１８】
また、特許文献５に記載のグリース溜まりによれば、グリース溜まりが保持器の軸方向端部に偏ってしまうという問題がある。グリース溜まりが軸方向端部へ偏っていれば、係合子と内外輪との接触部に対するグリースの供給は、その接触部全体に行き渡りにくい場合も生じ得る。
【００１９】
そこで、この発明は、係合子と内外輪との接触部に対するグリースの供給性能を高めることを課題とする。
【課題を解決するための手段】
【００２０】
上記の課題を解決するために、この発明は、相対的に軸周り回転可能な外輪及び内輪と、前記外輪と内輪との間に周方向に沿って配置され、前記外輪と内輪とが一方向に相対回転すると前記外輪の内周面及び前記内輪の外周面に係合して前記内外輪を結合し他方向に相対回転すると前記係合が解除される複数の係合子と、前記各係合子を周方向に沿って保持する環状の保持器と、前記各係合子を外輪の内周面および内輪の外周面に係合する方向に付勢する弾性部材とを備えた一方向クラッチにおいて、前記保持器は、その内周面と外周面との間を貫通する複数のポケット部を有し、前記係合子はそのポケット部毎に収納されており、前記保持器の内周面と前記内輪の外周面との間に、少なくとも周方向に隣り合う二つのポケット部間に連続する内径側グリース溜まりを設けた構成を採用した。
【００２１】
保持器の内側、すなわち、保持器の内周面と内輪の外周面との間をグリース溜まりとし、そのグリース溜まりを複数の係合子に相当する範囲に亘って連続させているので、保持器の柱部やポケット部内にグリース溜まりを設けた場合等と比較して、グリースを保持できる容量が大きい。
このため、係合子と内外輪との接触部に対して、グリースが常に供給されやすい環境が期待できる。なお、その内径側グリース溜まりとしては、隣り合う二つのポケット部間に連続する空間で構成してもよいし、隣り合う三つ以上のポケット部間に連続する空間で構成してもよい。
【００２２】
また、前記内径側グリース溜まりは、その連続するポケット部間に形成された部分よりも周方向外側に伸びて、その周方向外側に伸びる部分は、周方向外側に向かうにつれてその径方向幅が徐々に狭まっている構成とすることができる。
【００２３】
このようにすれば、グリースは径方向幅の広い部分に溜まりやすくなり、グリースの供給性能がさらに向上する。
また、このように内径側グリース溜まりの周方向外側が徐々に狭まっていれば、グリースは、一方向クラッチに作用する遠心力によって、その周方向外側の部分よりも一方向クラッチの軸心からの距離が遠い部分、すなわち径方向幅の広い部分へ導かれる。このため、グリースは径方向幅の広い部分にさらに溜まりやすくなる効果が期待できる。
【００２４】
このグリース溜まりは、保持器の外側、すなわち、保持器の外周面と外輪の内周面との間に設けてもよい。
その構成は、相対的に軸周り回転可能な外輪及び内輪と、前記外輪と内輪との間に周方向に沿って配置され、前記外輪と内輪とが一方向に相対回転すると前記外輪の内周面及び前記内輪の外周面に係合して前記内外輪を結合し他方向に相対回転すると前記係合が解除される複数の係合子と、前記各係合子を周方向に沿って保持する環状の保持器と、前記各係合子を外輪の内周面および内輪の外周面に係合する方向に付勢する弾性部材とを備えた一方向クラッチにおいて、前記保持器は、その内周面と外周面との間を貫通する複数のポケット部を有し、前記係合子はそのポケット部毎に収納されており、前記保持器の外周面と前記外輪の内周面との間に、少なくとも周方向に隣り合う二つのポケット部間に連続する外径側グリース溜まりを設けた構成である。
【００２５】
保持器の外側、すなわち、保持器の外周面と外輪の内周面との間をグリース溜まりとし、そのグリース溜まりを複数の係合子に相当する範囲に亘って連続させているので、保持器の柱部やポケット部内にグリース溜まりを設けた場合等と比較して、グリースを保持できる容量が大きい。
このため、係合子と内外輪との接触部に対して、グリースが常に供給されやすい環境が期待できる。なお、その外径側グリース溜まりとしては、隣り合う二つのポケット部間に連続する空間で構成してもよいし、隣り合う三つ以上のポケット部間に連続する空間で構成してもよい。
【００２６】
また、前記外径側グリース溜まりは、その連続するポケット部間に形成された部分よりも周方向外側に伸びて、その周方向外側に伸びる部分は、周方向外側に向かうにつれてその径方向幅が徐々に狭まっている構成とすることができる。
このようにすれば、グリースは径方向幅の広い部分に溜まりやすくなり、グリースの供給性能がさらに向上する。
【００２７】
また、前述の保持器の内側に設けられるグリース溜まり（内径側グリース溜まり）と、保持器の外側に設けられるグリース溜まり（外径側グリース溜まり）とは、いずれか一方のみを採用してもよいし、両者を併用してもよい。また、その内径側グリース溜まり、外径側グリース溜まりの箇所数は、それぞれ単独で採用する場合、併用する場合、いずれの場合においても自由に設定できる。
【００２８】
グリース溜まりとなる空間を、保持器と内輪、又は保持器と外輪との間に設けることによって、その保持器の径方向への肉厚は、一方向クラッチの機能を阻害しない限りにおいて、部分的に薄くなったり厚くなったりする部分が生じてよいが、内径側グリース溜まりと外径側グリース溜まりとを併用した構成においては、前記保持器は、その全周に亘って径方向厚さが一定である構成とすることができる。
すなわち、内径側グリース溜まりと外径側グリース溜まりの位相、すなわち周方向位置をずらすことによって、その肉厚を周方向全周に一定とすることが可能となる。肉厚が一定であれば、保持器の重量バランスが周方向に沿って均一に近くなるので好ましい。
【００２９】
この内径側グリース溜まりとして、例えば、前記保持器の内周面の軸直交断面を楕円形とし、その楕円形の長軸との交点寄りの内周面と前記内輪の外周面との隙間を前記内径側グリース溜まりとすることができる。
また、外径側グリース溜まりとしては、同じく、前記保持器の外周面の軸直交断面を楕円形とし、その楕円形の短軸との交点寄りの外周面と前記外輪の内周面との隙間を前記外径側グリース溜まりとすることができる。
【００３０】
また、前記保持器の内周面及び外周面の軸直交断面をそれぞれ楕円形とした場合において、内周面の楕円と外周面の楕円の長軸同士、及び前記両楕円の短軸同士をそれぞれ重ねた構成とすることができる。
内周面の楕円と外周面の楕円の長軸、短軸が一致していれば、保持器の重量バランスが周方向に沿って均一に近くなるので好ましい。
【００３１】
このとき、さらに、保持器の肉厚を周方向全周に一定とすることもできる。すなわち、内周面の楕円と外周面の楕円の長軸同士、及び前記両楕円の短軸同士がそれぞれ同一直線上に重なっていれば、その各楕円の長半径、短半径、焦点位置を適宜設定することによって内周面及び外周面が全周に亘って並行な位置関係となって、このような肉厚一定とした構成が実現可能である。
ここで、前記の場合、保持器の肉厚とは、楕円形を成す内周面及び外周面が全周に亘って並行であるから、その内周面及び外周面に直交する方向への肉厚としてよい。
【００３２】
なお、一方向クラッチの前記係合子としては、スプラグ又はローラを採用することができる。
【発明の効果】
【００３３】
この発明は、保持器の内周面と内輪の外周面との間、あるいは、保持器の外周面と外輪の内周面との間をグリース溜まりとし、そのグリース溜まりを複数の係合子に相当する範囲に亘って連続させているので、保持器の柱部やポケット部内にグリース溜まりを設けた場合等と比較して、グリースを保持できる容量を大きくすることができる。このため、係合子と内外輪との接触部へのグリースの供給性能を高めることができる。
【発明を実施するための最良の形態】
【００３４】
この発明の実施形態を、プーリ７内に一方向クラッチを組込んだ一方向クラッチ内蔵プーリを例に説明する。この一方向クラッチ内蔵プーリの主たる構成は、保持器４等を除き、図５に示す従来例とほぼ同様である。
【００３５】
その図５に基づいて説明すると、一方向クラッチは、プーリ７の内径面に圧入された外輪１と、その外輪１の内側に同軸上に組込まれた内輪２と、その内外輪２，１間に組込まれた多数のスプラグ（係合子）３と、各スプラグ３を保持する環状の保持器４と、各スプラグ３を係合方向に付勢するコイルバネ等の弾性部材５から構成されている。
【００３６】
外輪１の内周には、内周円筒面（内周面）１ａが形成され、内輪２の外周には、前記外輪１の内周円筒面１ａと径方向で対向する外周円筒面（外周面）２ａが形成されている。
また、その内輪２の外周には、前記外周円筒面２ａの軸方向両側に、前記外周円筒面２ａよりもやや小径の軸受嵌合面２ｃ，２ｃが形成され、各軸受嵌合面２ｃ，２ｃに軸受部８が嵌合されている。
【００３７】
軸受部８は、片シール付き玉軸受から成る。この軸受部８は、シールが軸方向外側に位置するように組付けされ、ボール９を介してプーリ７と一体の外輪１と内輪２とが、相対的に軸周り回転自在とされている。この軸方向両側に設けた軸受部８，８間において、外輪１と内輪２間の空間にグリースが封入されている。
【００３８】
図１は、第一の実施形態を示し、各スプラグ３は、外輪１の内周円筒面１ａと内輪２の外周円筒面２ａ間において、周方向に所定の間隔をおいて等間隔に配置されている。
【００３９】
その外輪１の内周円筒面１ａと内輪２の外周円筒面２ａ間において、前記各スプラグ３を周方向に位置決めする保持器４が設けられている。
保持器４は、合成樹脂の成形品から成り、各スプラグ３を個別に収容する複数のポケット部４ｃと、各ポケット部４ｃに連通するばね収容凹部４ｄとが形成されている。また、ポケット部４ｃは、保持器４の内周面４ａと外周面４ｂとの間を貫通するように形成されている。
【００４０】
各ばね収容凹部４ｄ内に、前記コイルバネ５が組込まれて、そのコイルバネ５は、各スプラグ３に形成された外径側カム面３ｕ及び内径側カム面３ｄが、それぞれ、外輪１の内周円筒面１ａ及び内輪２の外周円筒面２ａに係合する方向にそのスプラグ３を付勢している。
【００４１】
なお、外輪１及び内輪２の軸周り相対回転時における、係合子３としてのスプラグ３の係合作用及び係合解除の作用については、従来例と同様であるので説明を省略し、以下、保持器４の構成とグリース溜まりについて説明する。
【００４２】
前記スプラグ３が係合する対象となる前記内輪２の外周円筒面２ａ、及び前記外輪１の内周円筒面１ａは、それぞれその軸直交断面が円形である。
【００４３】
また、前記保持器４は、その内周面４ａの軸直交断面が、前記内輪２の外周円筒面２ａに対面する範囲において同一断面の楕円形となっている。また、その外周面４ｂの軸直交断面も、前記外輪１の内周円筒面１ａに対面する範囲において同一断面の楕円形となっている。この内周面４ａの楕円と外周面４ｂの楕円は、それぞれ長軸Ｌ方向と短軸Ｓ方向が同一方向となって一致している（重なっている）。
【００４４】
このため、保持器４の内周面４ａと内輪２の外周面２ａとの間、及び保持器４の外周面４ｂと外輪１の内周面１ａとの間には、それぞれ、図１に示すように、径方向幅ｗ１０，ｗ２０の隙間が生じる。この径方向幅ｗ１０，ｗ２０は、いずれも周方向一方に向かうにつれて徐々に拡がり、その径方向幅ｗ１０，２０が最大幅となる部分を通過した後、徐々に狭まるようになっている。
この隙間ｗ１０，ｗ２０の生じた部分の空間が、スプラグ３と内外輪２，１との接触部に対してグリースを供給するためのグリース溜まりとして機能するようになっている。
【００４５】
このグリース溜まりは、保持器４の内側に形成される内径側グリース溜まり１０と、保持器４の外側に形成される外径側グリース溜まり２０とからなる。
【００４６】
内径側グリース溜まり１０は、前記保持器４の内周面４ａと前記楕円の中心を通る前記長軸Ｌとの交点寄りの部分において、その内周面４ａと前記内輪２の外周面２ａとの間に生じた空間によって構成されている。このため、一箇所の内径側グリース溜まり１０は、楕円の中心周りに約１８０度の範囲に設けられている。
この内径側グリース溜まり１０は、前記楕円の中心を挟んで反対側にも対称に設けられており、全周に亘って合計２箇所設けられている。
【００４７】
なお、前記保持器４の内周面４ａと前記楕円の中心を通る短軸Ｓとの交点において、その保持器４の内周面４ａと前記内輪２の外周面２ａとは、この実施形態で示すように互いに接していてもよいし、後述の図２及び図３に示す実施形態のように、隙間が設けられていてもよい。
【００４８】
また、外径側グリース溜まり２０は、前記保持器４の外周面４ｂと前記楕円の中心を通る前記短軸Ｓとの交点寄りの部分において、その外周面４ｂと前記外輪１の内周面１ａとの間に生じた空間によって構成されている。このため、一箇所の外径側グリース溜まり２０は、楕円の中心周りに約１８０度の範囲に設けられている。
この外径側グリース溜まり２０は、前記楕円の中心を挟んで反対側にも対称に設けられており、全周に亘って合計２箇所設けられている。
【００４９】
なお、前記保持器４の外周面４ｂと前記楕円の中心を通る長軸Ｌとの交点において、その保持器４の外周面４ｂと前記外輪１の内周面１ａとは、この実施形態で示すように互いに接していてもよいし、後述の図２及び図３に示す実施形態のように、隙間を設けてもよい。
【００５０】
また、保持器４は、長軸Ｌ方向の楕円半径Ｌ１及びＬ２は、短軸Ｓ方向の楕円半径Ｓ１及びＳ２との関係において、
Ｌ１−Ｌ２＝Ｓ１−Ｓ２
の関係となっている。また、保持器４は、その内周面４ａ及び外周面４ｂが全周に亘って並行な位置関係となって、その全周に亘って径方向厚さが一定となっている。
【００５１】
このように、１箇所の内径側グリース溜まり１０、外径側グリース溜まり２０が、前記楕円の中心周りにおいて、それぞれ中心角約１８０度の範囲に配置されているから、この実施形態では、図１に示すように、各グリース溜まり１０，２０は、少なくとも周方向に隣り合う四つのポケット部４ｃ間に連続している。また、その周方向端部は、その四つのポケット部４ｃ間に連続する空間から、さらに周方向外側に伸びて、徐々にその径方向幅が狭まる形状となっている。
【００５２】
このように、内径側グリース溜まり１０、外径側グリース溜まり２０が、それぞれ複数のスプラグ３に相当する範囲に亘って連続して配置されているので、グリースを保持できる容量が大きい。
【００５３】
また、特に、内径側グリース溜まり１０は、その内径側グリース溜まり１０の周方向外側は徐々に狭まっているので、グリースは、一方向クラッチに作用する遠心力によって楕円の中心からの距離が遠い部分、すなわち、内径側グリース溜まり１０の径方向幅の広い部分に溜まりやすい。
このため、スプラグ３と内外輪２，１との接触部に対して、グリースが常に供給されやすい環境が期待できる。
【００５４】
他の実施形態を図２に示す。この実施形態は、外径側グリース溜まり２０を設けずに、内径側グリース溜まり１０のみを採用したものである。
このため、保持器４の外周面４ｂの軸直交断面は円形となっている。内径側グリース溜まり１０の構成は、前述の実施形態と同様である。
【００５５】
さらに他の実施形態を図３に示す。この実施形態は、内径側グリース溜まり１０を設けずに、外径側グリース溜まり２０のみを採用したものである。
このため、保持器４の内周面４ａの軸直交断面は円形となっている。外径側グリース溜まり２０の構成は、前述の実施形態と同様である。
【００５６】
さらに他の実施形態を図４に示す。この実施形態は、係合子３として円柱状のローラ３を採用した一方向クラッチである。
【００５７】
この実施形態の一方向クラッチの構成は、外輪１の内周面１ａと前記内輪２の外周面２ａとの間に配置された複数のローラ３が、それぞれ図示しない弾性部材により係合方向に付勢されている。
【００５８】
前記外輪１と内輪２とが一方向に相対回転すると、複数のローラ３が、それぞれ前記外輪１の内周面１ａに設けられた内周カム面１ｂと前記内輪２の外周円筒面（外周面）２ａとの間に形成されたくさび状空間内で、前記内外輪２，１に結合し、また、他方向に相対回転するとその係合が解除されるように機能する。
外輪１と内輪２との間の空間にグリースが充填されている点は、係合子３として前記スプラグ３を用いた前述の一方向クラッチと同様である。
【００５９】
また、保持器４の内側に形成される内径側グリース溜まり１０と、保持器４の外側に形成される外径側グリース溜まり２０の構成についても、係合子３として前記スプラグ３を用いた前述の一方向クラッチと同様である。
さらに、内径側グリース溜まり１０と外径側グリース溜まり２０とは、そのいずれか一方のみを採用してもよいし、両者を併用してもよい点も同様である。
【００６０】
これらの実施形態では、内径側グリース溜まり１０と外径側グリース溜まり２０の双方を採用した構成において、保持器４の内周面４ａ及び保持器４の外周面４ｂを長軸Ｌ方向、短軸Ｓ方向を一致させた楕円形状としたが、これ以外にも、例えば、両楕円の長軸Ｌ方向、短軸Ｓ方向を一致させないようにした構成も考えられる。
【００６１】
また、例えば、保持器４の内周面４ａ及び保持器４の外周面４ｂの軸直交断面を楕円以外とした構成を採用することもできる。
例えば、保持器４の内周面４ａ及び保持器４の外周面４ｂの軸直交断面を円形とし、その断面円形を成す内周面４ａ又は外周面４ｂの一部に、その内周面４ａ又は外周面４ｂよりも凹んだ部分を、それぞれ１箇所、２箇所、あるいは３箇所以上設けた構成を採用することができる。
【００６２】
この構成によれば、内径側グリース溜まり１０、外径側グリース溜まり２０の箇所数は、それぞれ自由に設定できる。
このため、例えば、内径側グリース溜まり１０を１箇所、２箇所、あるいは３箇所以上とすることもできる。また、外径側グリース溜まり２０を１箇所、２箇所、あるいは３箇所以上とすることもできる。
【００６３】
なお、それらの内径側グリース溜まり１０、外径側グリース溜まり２０は、少なくとも周方向に隣り合う二つのポケット部４ｃ間に連続する空間を有していることを要件とする。また、その連続する空間よりも周方向外側に伸びる空間を有して、その周方向外側に伸びる空間が、徐々にその径方向幅が狭まる形状を成していることが望ましい。
【図面の簡単な説明】
【００６４】
【図１】一実施形態を示す断面図
【図２】他の実施形態を示す断面図
【図３】さらに他の実施形態を示す断面図
【図４】さらに他の実施形態を示す断面図
【図５】従来の一方向クラッチ内蔵プーリの断面図
【図６】（ａ）は図５のＡ−Ａ断面図、（ｂ）はスプラグの作用を示す要部拡大図
【符号の説明】
【００６５】
１  外輪
１ａ  内周面（内周円筒面）
１ｂ  内周カム面
２  内輪
２ａ  外周面（外周円筒面）
３  係合子（スプラグ、ローラ）
３ｕ  外径側カム面
３ｄ  内径側カム面
４  保持器
４ａ  内周面
４ｂ  外周面
４ｃ  ポケット部
４ｄ  ばね収容凹部
５  弾性部材
７  プーリ
８  軸受部
９  ボール
１０  内径側グリース溜まり
２０  外径側グリース溜まり
Ｌ  長軸
Ｓ  短軸
【図１】
2010007681.tif 000003
【図２】
2010007681.tif 000004
【図３】
2010007681.tif 000005
【図４】
2010007681.tif 000006
【図５】
2010007681.tif 000007
【図６】
2010007681.tif 000008